(57)【要約】【課題】辞書検索結果とともに辞書検索の参考情報となる付加情報を提供し、ユーザの辞書検索を支援する。【解決手段】辞書サーバ１０は、ユーザ毎にその辞書検索の利用履歴を記憶し、ユーザ端末２０ａからの辞書検索の要求に応じて辞書検索を行うとともに、記憶した履歴情報から付加情報として、検索語の関連語、同一の検索対象において検索率の高い他の検索語の情報、同一の検索語で他のユーザによる検索率が高い他の検索対象の情報を検索する。そして、辞書検索結果とともに付加情報の検索結果をユーザ端末２０ａに送信する。【選択図】          図１
2004192423.tif 000002
【特許請求の範囲】
【請求項１】
辞書データベースを備えた辞書サーバと、複数のユーザ端末とが通信ネットワークを介して接続された辞書システムにおいて、
前記ユーザ端末は、検索条件を前記辞書サーバに送信し、
前記辞書サーバは、
ユーザ毎に辞書検索の履歴情報を記憶する履歴記憶手段と、
前記ユーザ端末から送信された検索条件に基づいて辞書検索を行うとともに、当該検索条件に応じた履歴情報を前記履歴記憶手段から検索する検索手段と、
前記検索された履歴情報を辞書検索結果の付加情報としてユーザ端末に送信する通信手段と、
を備えることを特徴とする辞書システム。
【請求項２】
前記辞書サーバにおいて、
前記検索条件は、検索語と検索対象の情報を含み、
前記履歴記憶手段は、検索語に関連して辞書検索を行った関連語を履歴情報として記憶し、
前記検索手段は、前記検索条件に含まれる検索語の辞書検索を行うとともに、付加情報として当該検索語の関連語を前記履歴記憶手段から検索することを特徴とする請求項１に記載の辞書システム。
【請求項３】
前記辞書サーバにおいて、
前記履歴記憶手段は、辞書検索を行った検索対象の情報を履歴情報として記憶し、
前記検索手段は、前記検索語の辞書検索を行うとともに、付加情報として同一の検索対象で他のユーザが辞書検索した検索語の情報を前記履歴記憶手段から検索することを特徴とする請求項２に記載の辞書システム。
【請求項４】
前記辞書サーバにおいて、
前記検索手段は、前記検索語の辞書検索を行うとともに、付加情報として同一の検索語で他のユーザが辞書検索した検索対象の情報を前記履歴記憶手段から検索することを特徴とする請求項３に記載の辞書システム。
【請求項５】
前記辞書サーバにおいて、
ユーザによる辞書検索の利用状況を判断し、判断した利用状況に応じたメッセージを出力する出力手段を備え、
前記通信手段は、前記出力されたメッセージを付加情報としてユーザ端末に送信することを特徴とする請求項１に記載の辞書システム。
【発明の詳細な説明】
【０００１】
【発明の属する技術分野】
本発明は、辞書データベースを備え、ユーザからの辞書検索の要求に応じて辞書検索を行う辞書サーバを含む辞書システムに関する。
【０００２】
【従来の技術】
従来、通信ネットワーク上に辞書データを提供する辞書サーバを設置し、この辞書サーバが通信ネットワークを介してユーザ端末から指定された検索単語に対する辞書検索を行い、その検索結果を当該ユーザ端末に配信する辞書システムが考案されている（例えば、特許文献１参照）。
【０００３】
【特許文献１】
特開平１０−１９８６８０号公報
【０００４】
【発明が解決しようとする課題】
しかしながら、従来の辞書検索システムでは、ユーザ端末からの辞書検索の要求に応じて、その辞書検索結果を提供するのみにとどまっており、ユーザの辞書検索の効率化につながるものではない。
【０００５】
本発明の課題は、辞書検索結果とともに辞書検索の参考情報となる付加情報を提供し、ユーザの辞書検索を支援することである。
【０００６】
【課題を解決するための手段】
請求項１に記載の発明は、  辞書システムにおいて、
辞書データベースを備えた辞書サーバと、複数のユーザ端末とが通信ネットワークを介して接続された辞書システムにおいて、
前記ユーザ端末は、検索条件を前記辞書サーバに送信し、
前記辞書サーバは、
ユーザ毎に辞書検索の履歴情報を記憶する履歴記憶手段と、
前記ユーザ端末から送信された検索条件に基づいて辞書検索を行うとともに、当該検索条件に応じた履歴情報を前記履歴記憶手段から検索する検索手段と、
前記検索された履歴情報を辞書検索結果の付加情報としてユーザ端末に送信する通信手段と、
を備えることを特徴としている。
【０００７】
この請求項１に記載の発明によれば、辞書サーバは、辞書検索結果の付加情報として検索条件に応じた履歴情報を検索し、ユーザ端末に送信するので、ユーザは、辞書検索結果を得るとともに、付加情報を参照して次の辞書検索の参考とすることができ、辞書の検索効率が向上する。従って、ユーザの辞書検索を支援することができる。
【０００８】
【発明の実施の形態】
以下、図を参照して本発明の実施の形態を詳細に説明する。
本実施の形態では、辞書サーバとユーザ端末とを通信ネットワークを介して接続し、辞書サーバがユーザによる辞書検索の履歴を記憶し、ユーザ端末から送信された検索条件に基づいて辞書検索を行うとともに検索条件に応じた付加情報を履歴から検索し、検索された辞書検索結果及び付加情報をユーザ端末に提供する例を説明する。
【０００９】
まず、構成を説明する。
図１に、本実施の形態における辞書システム１００の構成を示す。
図１に示すように、辞書システム１００は、辞書サーバ１０と、ユーザ端末２０ａ、２０ｂとが通信ネットワークＮを介して相互にデータの送受信が可能に構成されている。本実施の形態では、１台の辞書サーバ１０、２台のユーザ端末２０ａ、２０ｂが通信ネットワークＮに接続されているとして説明するが、その台数や設置個所は特に限定しない。
【００１０】
通信ネットワークＮは、電話回線網、ＩＳＤＮ回線網、専用線、移動体通信網、通信衛星網、ＣＡＴＶ回線網等の各種通信回線を適用可能であり、ＬＡＮ（Local Area Network）やＷＡＮ（Wide Area Network）、インターネット等の様々な回線形態を適用することが可能である。
【００１１】
以下、辞書システム１００を構成する各装置について説明する。
【００１２】
まず、辞書サーバ１０について説明する。
図２に、辞書サーバ１０の機能的構成を示す。
図２に示すように、辞書サーバ１０は、ＣＰＵ（Central Processing Unit）１１、入力部１２、表示部１３、通信部１４、ＲＡＭ（Random Access Memory）１５、記憶部１６、データ記憶部１７から構成され、各部はバス１９により接続される。
【００１３】
ＣＰＵ１１は、記憶部１６に格納されるシステムプログラムの他、本発明に係るユーザ登録処理プログラム（図６参照）、辞書検索処理プログラム（図８参照）、付加情報の検索処理プログラム（図１０参照）、関連語の検索処理プログラム（図１１参照）、同一検索対象における検索語検索処理プログラム（図１２参照）、同一検索語における検索対象検索処理プログラム（図１３参照）、学習管理処理プログラム（図１６参照）をＲＡＭ１５に展開して、当該プログラムとの協働により処理動作を統括的に制御し、辞書検索及び付加情報の検索を行うと共に辞書検索の利用状況を判断して利用状況に応じたメッセージの出力を行う。
【００１４】
また、ＣＰＵ１１は、内部クロック信号を利用して、時間を計時するタイマー機能を有する。
【００１５】
入力部１２は、文字キー、数字キーの他、各種機能キーを備え、操作されたキーに対応する操作信号をＣＰＵ１１に出力する。
【００１６】
表示部１３は、ＬＣＤ（Liquid Crystal Display）等の表示ディスプレイを含み、入力部１２における入力内容等の各種表示情報を表示する。
【００１７】
通信部１４は、ネットワークインターフェイスカード、モデム等を備えて構成される。通信部１４は、ユーザ端末２０ａ、２０ｂから辞書検索条件とともに辞書検索の要求情報を受信し、辞書検索結果及びその付加情報をユーザ端末２０ａ、２０ｂに送信する。
【００１８】
ＲＡＭ１５は、ＣＰＵ１１によって実行される各種プログラム及びこれらプログラムに係るデータを一時的に記憶するワークエリアを形成する。
【００１９】
記憶部１６は、磁気的、光学的記憶媒体、若しくは半導体メモリで構成された記憶媒体（図示せず）を有しており、この記憶媒体に、システムプログラムの他、本発明に係るユーザ登録処理プログラム、辞書検索処理プログラム、付加情報の検索処理プログラム、関連語の検索処理プログラム、同一検索対象における検索語検索処理プログラム、同一検索語における検索対象検索処理プログラム、学習管理処理プログラム等の各種プログラム及びこれらプログラムで処理されたデータ等を記憶する。
【００２０】
データ記憶部１７は、履歴記憶手段であり、辞書データベース（Data Base；以下、ＤＢという。）１７１、ユーザＤＢ１７２、履歴ＤＢ１７３が格納されている。
【００２１】
辞書ＤＢ１７１は、辞書データからなり、この辞書データには、図３に示すように、見出し語毎に、見出し語の意味、類似語、用例等のデータが含まれる。本実施の形態では、英和辞書の場合を説明するが、辞書データは語学に関するものに限らず、コンピュータ用語等の用語辞書データ等であってもよい。
【００２２】
ユーザＤＢ１７２は、ユーザ情報からなり、このユーザ情報には、図４に示すように、ユーザを個別的に識別するためのユーザＩＤ（例えば、“００１”）、ユーザの氏名（例えば、“Ａ”）、ユーザの性別（例えば、“男”）、年齢（例えば、“２５才”）、職業（例えば、“会社員”）、辞書利用の目的（例えば、“ビジネス”と、辞書利用の分野（例えば、“特許”）の各情報が含まれる。
【００２３】
履歴ＤＢ１７３は、ユーザの辞書検索の履歴情報からなり、この履歴情報には、図５に示すように、ユーザＩＤ毎に、ユーザが辞書検索した検索語（例えば、“approximate”）、辞書検索した検索対象（例えば、辞書検索したテキストのテキスト名である“ＵＳＰ１２３４５６”）、検索語に関連して辞書検索が行われた関連語（例えば、“approximate”の辞書検索結果の用例に“reference”が含まれており、続けて“reference”が辞書検索された場合、“reference”が関連語として格納される。）の各情報が含まれる。
【００２４】
次に、ユーザ端末２０ａ、２０ｂについて説明する。
ユーザ端末２０ａ、２０ｂは、通信機能を備えたパーソナルコンピュータ、ＰＤＡ（Personal Digital Assistant）等の情報処理装置である。ユーザ端末２０ａ、２０ｂは、ユーザからの指示に応じて、辞書検索条件とともに辞書検索の要求情報を辞書サーバ１０に送信し、辞書サーバ１０から送信された辞書検索結果及びその付加情報を受信して表示手段に表示する。
【００２５】
次に、本実施の形態における動作を説明する。
本実施の形態では、辞書サーバ１０がユーザ毎に辞書検索の履歴情報を履歴ＤＢ１７３に格納し、ユーザ端末２０ａ、２０ｂからの辞書検索の要求に応じて、辞書検索を行うとともにその付加情報を履歴ＤＢ１７３から検索し、検索された付加情報を辞書検索結果とともにユーザ端末２０ａ、２０ｂに送信する例を説明する。
【００２６】
なお、以下に示すフローチャートに記述されている各機能を実現するためのプログラムは、コンピュータが読み取り可能なプログラムコードの形態で記憶部１６に記憶されており、ＣＰＵ１１は、当該プログラムコードに従った動作を逐次実行する。また、ＣＰＵ１１は、伝送媒体を介して伝送される上記プログラムコードに従った動作を逐次実行することも可能である。すなわち、記憶部１６の他、伝送媒体を介して外部供給されたプログラム又はデータを利用して本実施の形態特有の動作を実行することも可能である。
【００２７】
まず、図６を参照して、辞書サーバ１０により実行されるユーザ登録処理を説明する。ユーザ登録処理は、辞書検索の前に、辞書サーバ１０にユーザ情報を登録する処理である。
【００２８】
図６に示すユーザ登録処理において、まず、図７に示すようなユーザ登録画面（ウェブ画面）が通信部１４によりユーザ端末２０ａ、２０ｂに送信される（ステップＡ１）。図７に示すように、ユーザ登録画面では、ユーザの氏名、性別、年齢を入力するための入力領域が設けられ、辞書利用の目的、辞書利用の分野の項目内容がプルダウン表示により選択可能に表示されている。
【００２９】
ユーザは、このユーザ登録画面において、各ユーザ情報を入力し、送信指示を入力すると、ユーザ端末２０ａでは、入力された各ユーザ情報が辞書サーバ１０に送信される。
【００３０】
辞書サーバ１０では、通信部１４を介してユーザ情報が受信されたか否かが判別され（ステップＡ２）、ユーザ情報が受信された場合、ステップＡ３の処理に移行する。ステップＡ３では、受信されたユーザ情報がユーザＤＢ１７２に格納され、ユーザ登録処理を終了する。
【００３１】
次に、図８を参照して、辞書サーバ１０により実行される辞書検索処理を説明する。辞書検索処理は、ユーザ端末２０ａ、２０ｂからの要求に応じて辞書検索を行うとともに付加情報の検索を行い、その検索結果をユーザ端末２０ａ、２０ｂに送信する処理である。なお、本実施の形態では、ユーザ端末２０ａから要求を受けた場合を説明するが、ユーザ端末２０から要求を受けた場合も同様の処理がなされる。
【００３２】
図８に示す辞書検索処理において、まず、ユーザ端末２０ａからアクセスされ、ユーザＩＤが受信されると、図９に示すような辞書画面（ウェブ画面）が通信部１４を介してユーザ端末２０ａに送信される（ステップＢ１）。
【００３３】
図９に示すように、辞書画面では、検索語を入力するための入力領域と、その辞書検索の対象となる学習テキストや文献等の検索対象名を入力するための入力領域が設けられる。ユーザ端末２０ａでは、ユーザにより検索語及び検索対象の検索条件が入力され、検索指示が入力されると、検索条件とともに辞書検索を要求する要求情報が辞書サーバ１０に送信される。
【００３４】
辞書サーバ１０では、辞書画面がユーザ端末２０ａに送信された後、ユーザ端末２０ａからの検索条件の情報受信が待機される。そして、検索条件とともに辞書検索の要求情報がユーザ端末２０ａから受信されると（ステップＢ２）、ステップＢ３の処理に移行する。
【００３５】
ステップＢ３では、受信された検索条件に基づいて、検索語に対応する辞書データが辞書ＤＢ１７１から検索される。辞書データが検索されると、検索された辞書データはＲＡＭ１５に一時記憶され、ステップＢ４の処理に移行する。
【００３６】
ステップＢ４では、ステップＢ１でユーザ端末２０ａから受信されたユーザＩＤに対応するユーザ情報がユーザＤＢ１７２から検索され、辞書検索を行ったユーザの判別が行われる。ユーザが判別されると、ステップＢ５の処理に移行する。
【００３７】
ステップＢ５では、ユーザＩＤに該当する履歴情報が履歴ＤＢ１７３から検索される。そして、検索された履歴情報に、辞書検索を行った検索語とその検索対象の情報とが書き込まれ、履歴情報の更新が行われる。このとき、検索語がその直前に辞書検索された検索語に関連している場合は、履歴ＤＢ１７３において、検索語がその直前に辞書検索した検索語の関連語として書き込まれる。例えば、“forgive”の辞書検索結果に、類似語“pardon”が含まれており、続けて“pardon”の辞書検索を行った場合、“forgive”の関連語として“pardon”が履歴ＤＢ１７３に記憶される。
履歴ＤＢ１７３の更新が終了すると、ステップＢ６の付加情報の検索処理に移行する。
【００３８】
図１０を参照して、付加情報の検索処理を説明する。
図１０に示す付加情報の検索処理では、ステップＣ１において、関連語の検索処理が実行される。次いで、ステップＣ２において、同一検索対象における検索語検索処理が実行され、ステップＣ３において、同一検索語における検索対象検索処理が実行される。
【００３９】
まず、図１１を参照して、関連語の検索処理について説明する。
図１１に示す関連語の検索処理において、まず、履歴ＤＢ１７２からユーザに該当する履歴情報が検索され、ユーザによって入力された検索語が以前検索されたことがあるか否かが履歴情報に基づいて判別される（ステップＣ１１）。入力された検索語に該当するものが履歴情報に無い場合（ステップＣ１１；Ｎ）、関連語の検索処理を終了する。
【００４０】
入力された検索語に該当するものが履歴情報に有る場合（ステップＣ１１；Ｙ）、その検索語については以前辞書検索した履歴があるとしてその検索語に関連語が有るか否かが判別される（ステップＣ１２）。関連語が無い場合（ステップＣ１２；Ｎ）、関連語の検索処理を終了する。
【００４１】
一方、関連語が有る場合は（ステップＣ１２；Ｙ）、以前その検索語を辞書検索したときに関連語も調べたことを表しているので、その関連語が読み出され、付加情報の検索結果としてＲＡＭ１５に一時記憶される。一時記憶後、関連語の検索処理を終了する。
【００４２】
次に、図１２を参照して、同一検索対象における検索語検索処理を説明する。同一検索対象における検索語検索処理は、同一の検索対象において他のユーザが辞書検索した検索語を検索する処理である。
図１２に示す同一検索対象における検索語検索処理において、まず、ユーザＤＢ１７２からユーザと同一分野の他のユーザが検索され、特定される（ステップＣ２１）。例えば、ユーザの分野が“特許”である場合、同じ“特許”の分野の他のユーザがユーザＤＢ１７２から検索されて特定される。
【００４３】
同一分野の他のユーザが特定されると、特定されたユーザのユーザＩＤがユーザＤＢ１７２から読み出される。そして、読み出されたユーザＩＤに対応する履歴情報が履歴ＤＢ１７３から読み出され、その履歴情報に今回の辞書検索の対象と同一の検索対象が有るか否かが判別される（ステップＣ２２）。同一の検索対象が無い場合（ステップＣ２２；Ｎ）、同一検索対象における検索語検索処理を終了する。
【００４４】
一方、同一の検索対象が有る場合（ステップＣ２２；Ｙ）、その同一の検索対象において辞書検索された検索語のうち、今回の検索語とは異なる、他の検索語が検索される（ステップＣ２３）。次いで、検索された他の検索語のうち、所定回数以上検索されている、つまり検索率の高い検索語が読み出される（ステップＣ２４）。例えば、今回の検索語が“approximate”である場合、検索対象“ＵＳＰ１２３４５６”において辞書検索された検索語“approximate”、“deviation”等の検索語のうち、“approximate”以外で所定回数検索されている検索語が読み出される。読み出された検索語は、付加情報の検索結果としてＲＡＭ１５に一時記憶され、同一検索対象における検索語検索処理を終了する。
【００４５】
次に、図１３を参照して、同一検索語における検索対象検索処理を説明する。同一検索語における検索対象検索処理は、同一の検索語で他のユーザが辞書検索した検索対象を検索する処理である。
図１３に示す同一検索語における検索対象検索処理において、まず、ユーザＤＢ１７２からユーザの辞書検索の目的が読み出され、目的は学習目的か否かが判別される（ステップＣ３１）。学習目的ではない場合（ステップＣ３１；Ｎ）、同一検索語における検索対象検索処理を終了する。
【００４６】
学習目的である場合（ステップＣ３１；Ｙ）、今回辞書検索した検索語と同一単語を検索した別のユーザが履歴ＤＢ１７３から検索され、検索されたユーザの検索対象が読み出される（ステップＣ３２）。読み出された検索対象の情報は、付加情報の検索結果としてＲＡＭ１５に一時記憶され、同一検索語における検索対象検索処理を終了する。
【００４７】
このようにして、付加情報の検索処理が終了すると、図８のステップＢ７の処理に移行する。図８に示すステップＢ７では、ステップＢ３における辞書検索結果とともにステップＢ６における付加情報の検索結果がＲＡＭ１５から読み出されて検索結果画面（ウェブ画面）が作成され、この検索結果画面がユーザ端末２０ａに送信される（ステップＢ７）。
【００４８】
図１４、図１５に、ユーザ端末２０ａに表示される検索結果画面例を示す。
図１４に示す検索結果画面では、その中央部に検索語の辞書検索結果Ｒ１が表示される。辞書検索結果の下部左側には辞書検索の付加情報として、“forgiveに関しては、関連語としてpardonが検索されています”等の関連語の検索結果Ｒ２が表示される。また、辞書検索結果の下部右側には辞書検索の付加情報として、“forgiveは、教材Ｂでも検索されています”等の同一検索語における検索対象の検索結果Ｒ３が表示される。
【００４９】
図１５に示す検索結果画面では、図１４と同様に、中央部に検索語の辞書検索結果Ｒ４が表示され、その下部には辞書検索結果の付加情報として、“ＵＳＰ１２３４５６に関しては、interpola、deviationなどが検索されています”等の同一検索対象における検索語の検索結果Ｒ５が表示される。
【００５０】
なお、付加情報の表示は、上記検索結果画面において、例えば関連語の付加情報があることを示すアイコンを表示しておき、そのアイコンが押下されると関連語の付加情報が表示されるようにしてもよい。これにより、付加情報を参照するか否かをユーザが選択することが可能となる。
【００５１】
また、付加情報として同一検索対象において検索率が高い検索語の情報を表示する際に、例えば検索率が所定比率よりも高い検索語は赤色表示、所定比率より低い場合は黄色表示等、その検索率に応じて検索語を識別表示することとしてもよい。これにより、ユーザは検索率の把握が容易となる。
【００５２】
さらに、付加情報として検索語の関連語の情報を表示する際に、表示する検索語が他の検索語の関連語となっている場合、関連語となっていることを表示することとしてもよい。例えば“forgive”が“crime”の関連語となっている場合、“forgiveは、crimeの関連語となっています”等の表示を行う。これにより、ユーザは検索語に関連する単語の情報を参照することができる。
【００５３】
次に、図１６を参照して、辞書サーバ１０により実行される学習管理処理を説明する。この学習管理処理は、ユーザの辞書検索の利用状況を判断し、利用状況に応じたメッセージを出力し、ユーザ端末２０ａ、２０ｂに送信する処理である。
【００５４】
図１６に示す学習管理処理において、まず、ユーザ端末２０ａからアクセスを受け、ユーザＩＤが受信されると、そのユーザＩＤからユーザが判別される（ステップＤ１）。ユーザが判別されると、ユーザＤＢ１７２から、当該ユーザの辞書検索の利用目的が読み出され、目的は学習目的か否かが判別される（ステップＤ２）。学習目的ではない場合（ステップＤ２；Ｎ）、学習管理処理を終了する。
【００５５】
一方、学習目的である場合（ステップＤ２；Ｙ）、タイマー機能による計時が開始される（ステップＤ３）。そして、計時開始後、ユーザによる辞書検索回数がカウントされ、辞書検索の利用状況が監視される（ステップＤ４）。
【００５６】
次いで、利用状況の監視が開始されてから所定時間が経過したか否かが判別される（ステップＤ５）。所定時間が経過したと判別されると（ステップＤ５；Ｙ）、ユーザの辞書検索の利用状況が判断される（ステップＤ６）。まず、所定時間における辞書検索回数がユーザの検索頻度として算出される。そして、算出された検索頻度は平均頻度より大きいか否かが判別され、平均頻度より大きい場合は辞書検索が頻繁に利用されており、学習ペースが速いとユーザの利用状況が判断される。一方、算出された検索頻度が平均頻度より小さい場合は、辞書検索があまり利用されておらず、学習ペースが遅いとユーザの利用状況が判断される。
【００５７】
利用状況が判断されると、その利用状況に応じたメッセージが出力され、そのメッセージを含む辞書画面（ウェブ画面）が作成されてユーザ端末２０ａに送信される（ステップＤ７）。
図１７に、メッセージが表示された辞書画面の表示例を示す。
図１７に示すように、辞書画面では、検索条件である検索語及び検索対象の情報を入力するための入力領域Ｒ６の下部に、利用頻度が少ないと判断されたユーザに対する “学習のペースが遅いかもしれません。がんばりましょう”等のメッセージＲ７が表示される。利用頻度が多いと判断されたユーザの場合は、例えば“学習がオーバーペースかもしれません。少し休みましょう”、“単語の用例に関してもよく読みましょう”等のメッセージが表示される。
【００５８】
次いで、辞書サーバ１０では、辞書利用終了の指示がユーザ端末２０ａから送信されたか否かが判別される（ステップＤ８）。辞書利用終了の指示が送信されていない場合（ステップＤ８；Ｎ）、ステップＤ４の処理に戻り、利用状況の監視を継続する。一方、辞書利用終了の指示が送信された場合（ステップＤ８；Ｙ）、学習管理処理を終了する。
【００５９】
以上のように、辞書サーバ１０において、ユーザが辞書を利用する目的、分野等が登録されるとともに、ユーザが辞書検索した履歴情報がデータベース化され、ユーザが辞書検索した際には、履歴情報から、辞書検索の付加情報が検索されて、辞書検索結果とともにその付加情報の検索結果がユーザに提供されるので、ユーザは付加情報を参照して次の辞書検索の参考とすることができ、辞書の検索効率が向上する。従って、ユーザの辞書検索を支援することができる。
【００６０】
また、付加情報として、検索語の関連語が提供されるので、ユーザは、過去に同じ検索語を辞書検索したことがある場合に、その際に関連して辞書検索した関連語の情報を参照することができ、次の辞書検索に役立てることができる。
【００６１】
また、付加情報として、同一の検索対象において他のユーザからも頻繁に検索が行われている他の検索語の情報が提供されるので、ユーザは、同一の検索対象において辞書検索を行った他のユーザの辞書検索情報を参照することができ、次の辞書検索に役立てることができる。
【００６２】
また、付加情報として、同一の検索語により他のユーザからも頻繁に検索が行われている検索対象の情報が提供されるので、ユーザは、同一の検索語で他のユーザが辞書検索した対象の情報を参照することができ、提供された他の検索対象から他の用例等の学習することができる。従って、学習効果が得られるとともにユーザの辞書検索の検索効率が向上する。
【００６３】
さらに、ユーザの辞書利用状況が監視され、利用状況に応じたメッセージが辞書検索結果の付加情報としてユーザ端末２０ａに送信されるので、ユーザは、学習ペースを認識することができ、効率的な学習が可能となる。
【００６４】
【発明の効果】
請求項１に記載の発明によれば、辞書サーバは、辞書検索結果の付加情報として検索条件に応じた履歴情報を検索し、ユーザ端末に送信するので、ユーザは、辞書検索結果を得るとともに、付加情報を参照して次の辞書検索の参考とすることができ、辞書の検索効率が向上する。従って、ユーザの辞書検索を支援することができる。
【図面の簡単な説明】
【図１】本発明を適用した実施の形態の辞書システム１００のシステム構成を示す図である。
【図２】図１の辞書サーバ１０の機能的構成を示す図である。
【図３】辞書ＤＢ１７１のデータ構成例を示す図である。
【図４】ユーザＤＢ１７２のデータ構成例を示す図である。
【図５】履歴ＤＢ１７３のデータ構成例を示す図である。
【図６】辞書サーバ１０により実行されるユーザ登録処理を説明するフローチャートである。
【図７】ユーザの登録画面例を示す図である。
【図８】辞書サーバ１０により実行される辞書検索処理を説明するフローチャートである。
【図９】辞書画面例を示す図である。
【図１０】付加情報の検索処理を説明するフローチャートである。
【図１１】関連語の検索処理を説明するフローチャートである。
【図１２】同一検索対象における検索語検索処理を説明するフローチャートである。
【図１３】同一検索語における検索対象検索処理を説明するフローチャートである。
【図１４】検索結果画面の一例を示す図である。
【図１５】検索結果画面の一例を示す図である。
【図１６】辞書サーバ１０により実行される学習管理処理を説明するフローチャートである。
【図１７】学習メッセージが表示された辞書画面例を示す図である。
【符号の説明】
１０    辞書サーバ
１１    ＣＰＵ
１２    入力部
１３    表示部
１４    通信部
１５    ＲＡＭ
１６    記憶部
１７    データ記憶部
１７１    辞書ＤＢ
１７２    ユーザＤＢ
１７３    履歴ＤＢ
２０ａ、２０ｂ    ユーザ端末
１００    辞書システム
【図１】
2004192423.tif 000003
【図２】
2004192423.tif 000004
【図３】
2004192423.tif 000005
【図４】
2004192423.tif 000006
【図５】
2004192423.tif 000007
【図６】
2004192423.tif 000008
【図７】
2004192423.tif 000009
【図８】
2004192423.tif 000010
【図９】
2004192423.tif 000011
【図１０】
2004192423.tif 000012
【図１１】
2004192423.tif 000013
【図１２】
2004192423.tif 000014
【図１３】
2004192423.tif 000015
【図１４】
2004192423.tif 000016
【図１５】
2004192423.tif 000017
【図１６】
2004192423.tif 000018
【図１７】
2004192423.tif 000019